【手続補正書】
【提出日】平成15年6月19日(2003.6.19)
【手続補正１】
【補正対象書類名】明細書
【補正対象項目名】特許請求の範囲
【補正方法】変更
【補正の内容】
【特許請求の範囲】
【請求項１】
自端末装置の位置を測定する位置測定手段と、目的地情報を設定する目的地設定手段と、情報センターとデータを送受信する通信手段と、目的地までの経路誘導を行う経路誘導手段と、経路誘導において誘導に用いる誘導方式種別を指定する誘導方式種別指定手段と、を備え、
前記通信手段は、位置測定手段で得られた現在地情報，目的地情報、および前記誘導方式種別を前記情報センターに送出し、情報センターから送出された前記目的地までの経路情報、および指定された前記誘導方式種別で構成した誘導地点情報を受信すると共に、
前記経路誘導手段は、該受信した経路情報、および指定された前記誘導方式種別で構成した誘導地点情報を用い目的地までの誘導を実行し、
前記経路誘導手段は、誘導方式種別として誘導地点付近の地図に誘導方向を重ねて表示する交差点拡大図が選択されたとき、誘導地点の位置情報から該誘導地点を含む所定範囲の地図を抽出した誘導地点地図を生成し、
誘導地点の交差点拡大図の生成要求を前記情報センターに送出することを特徴とする通信型ナビゲーション装置。
【請求項２】
自端末装置の位置を測定する位置測定手段と、目的地情報を設定する目的地設定手段と、情報センターとデータを送受信する通信手段と、目的地までの経路誘導を行う経路誘導手段と、経路誘導において誘導に用いる誘導方式種別を指定する誘導方式種別指定手段と、を備え、
前記通信手段は、位置測定手段で得られた現在地情報，目的地情報、および前記誘導方式種別を前記情報センターに送出し、情報センターから送出された前記目的地までの経路情報、および指定された前記誘導方式種別で構成した誘導地点情報を受信すると共に、
前記経路誘導手段は、誘導方式種別として誘導地点付近の地図に誘導方向を重ねて表示する交差点拡大図が選択されたとき、誘導地点の位置における交差点拡大図を作成するために必要な地図情報が記憶されているかを判断する地図確認手段を備え、前記受信した経路情報、および指定された前記誘導方式種別で構成した誘導地点情報を用い目的地までの誘導を実行し、前記地図確認手段が誘導地点の位置における交差点拡大図を作成するために必要な地図情報が記憶されているかを判断したとき、誘導地点の位置情報から該誘導地点を含む所定範囲の地図を抽出した誘導地点地図を生成し、記憶されていないと判断したとき、誘導方向を示す案内図を生成することを特徴とする通信型ナビゲーション装置。
【請求項３】
自端末装置の位置を測定する位置測定手段と、目的地情報を設定する目的地設定手段と、情報センターとデータを送受信する通信手段と、目的地までの経路誘導を行う経路誘導手段と、経路誘導において誘導に用いる誘導方式種別を指定する誘導方式種別指定手段と、を備え、
前記通信手段は、位置測定手段で得られた現在地情報，目的地情報、および前記誘導方式種別を前記情報センターに送出し、情報センターから送出された前記目的地までの経路情報、および指定された前記誘導方式種別で構成した誘導地点情報を受信すると共に、
前記経路誘導手段は、誘導方式種別として誘導地点付近の地図に重ねて誘導方向を重ねて表示する交差点拡大図が選択されたとき、誘導地点の位置における交差点拡大図を作成するために必要な地図情報が記憶されているかを判断する地図確認手段を備え、前記受信した経路情報、および指定された前記誘導方式種別で構成した誘導地点情報を用い目的地までの誘導を実行し、前記地図確認手段が誘導地点の位置における交差点拡大図を作成するために必要な地図情報が記憶されていないと判断したとき、該誘導地点の交差点拡大図の生成要求を前記情報センターに送出することを特徴とする通信型ナビゲーション装置。
【請求項４】
自端末装置の位置を測定する位置測定手段と、目的地情報を設定する目的地設定手段と、情報センターとデータを送受信する通信手段と、目的地までの経路誘導を行う経路誘導手段と、車両の走行状態をモニタする走行状態モニタ手段と、を備えた通信型カーナビゲーション装置において、
前記通信手段は、位置測定手段で得られた現在地情報および目的地情報を前記情報センターに送出し、情報センターから送出された前記目的地までの経路情報および誘導地点情報を受信すると共に、
前記経路誘導手段は、該受信した経路情報と位置測定手段で測定した位置情報から、自端末が経路から外れたかを判定する手段と、外れたと判定したときは走行状態モニタ手段で検出した走行状態に応じ目的地までの経路演算を情報センターに要求するかを決定する手段と、を有することを特徴とする通信型ナビゲーション装置。
【請求項５】
請求項４に記載の通信型ナビゲーション装置において、
前記経路誘導手段は、該受信した経路情報と位置測定手段で測定した位置情報から、自端末が経路から外れたかを判定する手段と、外れたと判定したときは自端末が走行中であるかを判定し、走行中である場合は目的地までの経路演算を情報センターに要求することを禁止する手段と、を有することを特徴とする通信型ナビゲーション装置。
【請求項６】
請求項５に記載の通信型ナビゲーション装置において、
さらに経路誘導手段は、自車両が走行から停止状態になったことを判定し、目的地までの経路演算を情報センターに要求するかをユーザに確認する手段と、を有することを特徴とする通信型ナビゲーション装置。
【請求項７】
請求項４に記載の通信型ナビゲーション装置において、
前記経路誘導手段は、自端末が経路から外れたかときに自動的に目的地までの経路演算を情報センターに要求するモードと、自端末が経路から外れたときに目的地までの経路演算を情報センターに要求するかユーザに確認するモードと、を備えることを特徴とする通信型ナビゲーション装置。
【請求項８】
請求項４に記載の通信型ナビゲーション装置において、
さらに、音声を出力する手段と、音声を認識する手段とを備え、
前記経路誘導手段は、自端末が経路から外れたときに目的地までの経路演算を情報センターに要求するかユーザに音声で発話し、ユーザ指示を音声認識手段で認識するとともに、認識結果から目的地までの経路演算を情報センターに要求するかを決定することを特徴とする通信型ナビゲーション装置。
【請求項９】
データを送受信する通信手段と、受信したデータを記憶する記憶手段と、地図を表示する地図表示手段と、を備えた通信型ナビゲーション装置において、
前記通信手段は、情報センターに位置情報および縮尺情報を指定した地図要求を送出し、前記記憶手段は、情報センターから送出された地図データを記憶すると共に、前記地図表示手段は、該記憶した地図を表示することを特徴とした通信型ナビゲーション装置において、
地図情報を情報センターに対して要求を出す地図要求手段と、
車両の走行状態を識別する走行状態判定手段とを備え、
前記地図要求手段は、前記走行状態判定手段で取得した車両の走行状態に応じて、地図要求を通信するか決定することを特徴とする通信型ナビゲーション装置。
【請求項１０】
請求項９に記載の通信型ナビゲーション装置において、
前記地図要求手段は、前記車両の走行状態判定手段により取得した車両の走行状態が走行中であるか判定し、走行中の場合は地図要求を禁止することを特徴とする通信型ナビゲーション装置。
【請求項１１】
請求項１０に記載の通信型ナビゲーション装置において、
前記地図要求手段は、車両の走行状態が停止になったときに地図要求をするか決定することを特徴とする通信型ナビゲーション装置。
【請求項１２】
請求項１０，１１に記載の通信型ナビゲーション装置において、
前記地図表示手段は、車両状態が走行中で、かつ現在地周辺の同縮尺の地図を表示するために必要な地図が記憶手段に記憶されていないとき、記憶手段に記憶されている広域地図を表示することを特徴とする通信型ナビゲーション装置。
【請求項１３】
データを送受信する通信手段と、受信したデータを記憶する記憶手段と、地図を表示する地図表示手段と、を備えた通信型ナビゲーション装置において、
前記通信手段は、情報センターに位置情報および縮尺情報を指定した地図要求を送出し、前記記憶手段は、情報センターから送出された地図データを記憶すると共に、前記地図表示手段は、該記憶した地図を表示することを特徴とした通信型ナビゲーション装置において、
前記通信手段は、前記記憶手段に記録されている地図情報の更新日時と、同地図情報であって情報センターに記録されている更新日時を比較し、地図情報が更新されたかを監視することを特徴とする通信型ナビゲーション装置。
【請求項１４】
請求項１３に記載の通信型ナビゲーション装置において、
情報センターの地図の更新日時と記憶された地図の更新日時を比較し、情報センターの地図が更新されたと判断したとき画面ないし音声で地図更新を通知することを特徴とする通信型ナビゲーション装置。
【請求項１５】
請求項１４に記載の通信型ナビゲーション装置において、
情報センターの地図が更新されたときは、更新地図の差分情報を受信し、該記憶手段に記憶された地図情報と差分情報から地図情報を更新することを特徴とする通信型ナビゲーション装置。
【請求項１６】
データを送受信する通信手段と、受信したデータを記憶する記憶手段と、地図を表示する地図表示手段と、を備えた通信型ナビゲーション装置において、
前記通信手段は、情報センターに位置情報および縮尺情報を指定した地図要求を送出し、前記記憶手段は、情報センターから送出された地図データを記憶すると共に、前記地図表示手段は、該記憶した地図を表示することを特徴とした通信型ナビゲーション装置において、
前記地図表示手段は、前記通信手段で取得した地図を記憶すると共に、所定位置の地図情報が要求された場合には記憶手段に地図情報が記憶されているか判断し、記憶されている場合は地図情報を記憶手段から読み出し、記憶されていない場合は情報センターに地図要求することを特徴とする通信型ナビゲーション装置。
【請求項１７】
自端末装置の位置を測定する位置測定手段と、目的地情報を設定する目的地設定手段と、情報センターとデータを送受信する通信手段と、目的地までの経路誘導を行う経路誘導手段と、を備えた通信型カーナビゲーション装置において、
前記通信手段は、位置測定手段で得られた現在地情報および目的地情報を前記情報センターに送出し、情報センターから送出された前記目的地までの経路情報および誘導地点情報を受信すると共に、
前記経路誘導手段は、該受信した経路情報および誘導地点情報を用い目的地までの誘導を実行し、
目的地までの経路誘導情報を要求されたとき、位置測定手段で得られた現在地情報および目的地情報の位置関係から通信に要する予想データサイズを演算し、該データサイズから通信に要する通信料金を算出した結果を音声ないし画像で出力することを特徴とする通信型ナビゲーション装置。
【請求項１８】
自端末装置の位置を測定する位置測定手段と、目的地情報を設定する目的地設定手段と、情報センターとデータを送受信する通信手段と、目的地までの経路誘導を行う経路誘導手段と、を備えた通信型カーナビゲーション装置において、
前記通信手段は、位置測定手段で得られた現在地情報および目的地情報を前記情報センターに送出し、情報センターから送出された前記目的地までの経路情報および誘導地点情報を受信すると共に、
前記経路誘導手段は、該受信した経路情報および誘導地点情報を用い目的地までの誘導を実行し、
前記通信手段は、位置測定手段で得られた現在地情報および目的地情報を前記情報センターに送出し、情報センターから送出された前記目的地までの経路情報および誘導地点情報のデータサイズを受信すると共に、該受信したデータサイズから通信に要する通信料金を算出し、音声ないし画像で出力することを特徴とする通信型ナビゲーション装置。
【請求項１９】
自端末装置の位置を測定する位置測定手段と、目的地情報を設定する目的地設定手段と、情報センターとデータを送受信する通信手段と、目的地までの経路誘導を行う経路誘導手段と、を備えた通信型カーナビゲーション装置において、
前記通信手段は、位置測定手段で得られた現在地情報および目的地情報を前記情報センターに送出し、情報センターから送出された前記目的地までの経路情報および誘導地点情報を受信すると共に、
前記経路誘導手段は、該受信した経路情報および誘導地点情報を用い目的地までの誘導を実行し、
前記通信手段は、位置測定手段で測定した現在地情報および目的地情報を前記情報センターに送出すると共に送出データ量を計測し、情報センターから送出された前記目的地までの経路情報および誘導地点情報を受信すると共に受信データ量を計測し、該計測した送出データ量と受信データ量から通信に要した通信料金を音声ないし画像で出力することを特徴とする通信型ナビゲーション装置。
【請求項２０】
自端末装置の位置を測定する位置測定手段と、目的地情報を設定する目的地設定手段と、情報センターとデータを送受信する通信手段と、目的地までの経路誘導を行う経路誘導手段と、目的地までの経路誘導を行う経路誘導手段と、を備えた通信型ナビゲーション装置において、
前記通信手段は、位置測定手段で得られた現在地情報および目的地情報を前記情報センターに送出し、情報センターから送出された前記目的地までの経路情報および誘導地点情報を受信すると共に、
前記経路誘導手段は、該受信した経路情報と、位置測定手段で測定した現在地情報との距離を元に経路上を走行中かを判定し、経路上を走行中の場合は、誘導地点と自車位置との距離が所定の距離に近づいたときに誘導情報を表示することを特徴とする通信型ナビゲーション装置。